(57)【要約】 【課題】  ネットワークを介して受信した原稿を外部から容易に確認可能で、セキュリティの確保も可能とする。【解決手段】  ファクシミリ送受信部（通信部）３はネットワーク１９を介して原稿その他を送受信する。記憶部５はファクシミリ送受信部３で受信した原稿を記憶する。登録部７は受信する原稿に付加される相手先識別情報のうち、その原稿の受信を外部に通知する相手先識別情報と当該通知する外部通知先とを関連付けた通知条件を予め登録する。主制御部１は、受信原稿がその通知条件に該当するとき、その原稿の受信を伝える電子メールに相手先識別情報を付して外部通知先に送信制御する。主制御部１は、外部通知先からその原稿が指定されたとき、当該原稿を記憶部５から読み出して外部通知先に送信制御する。【選択図】  図１
2008283427.tif 000002
【特許請求の範囲】
【請求項１】
ネットワークを介して原稿その他を送受信する通信部と、
この通信部で受信した原稿を記憶する記憶部と、
前記通信部で受信する原稿に付加される相手先識別情報のうち、前記原稿の受信を外部に通知する相手先識別情報と当該通知する外部通知先とを関連付けた通知条件が予め登録された登録部と、
受信した前記原稿が前記通知条件に該当するとき、前記原稿の受信を伝える電子メールに前記相手先識別情報を付して前記外部通知先に送信制御するとともに、前記外部通知先から前記原稿の転送指示がされたとき当該原稿を前記記憶部から読み出して前記外部通知先に送信制御する主制御部と、
を具備することを特徴とする通信装置。
【請求項２】
前記通知条件には参照用パスワードが設定されており、前記主制御部は当該参照用パスワードが付されて前記原稿の転送指示がされたとき当該原稿を送信制御する請求項１記載の通信装置。
【請求項３】
前記原稿を印刷する印刷部を有し、上記主制御部は、前記電子メールの送信停止が設定されたとき、当該時点までに前記記憶部に記憶された前記原稿を前記印刷部に出力して印刷制御する請求項１又は２記載の通信装置。
【請求項４】
前記外部通知先は前記原稿毎に複数登録されるとともに、前記主制御部はこれら複数の外部通知先に前記電子メールを送信制御する請求項１〜３いずれか１記載の通信装置。
【請求項５】
ネットワークを介して受信した原稿を処理する受信原稿転送方法であり、
前記ネットワークを介して前記原稿を受信する受信処理と、
この受信原稿を記憶する記憶処理と、
前記受信原稿に付加される相手先識別情報のうち、前記原稿の受信を外部に通知する相手先識別情報と当該通知する外部通知先とを関連付けて予め登録された通知条件に前記受信原稿が該当するとき、前記原稿の受信を伝える電子メールに前記相手先識別情報を付して前記外部通知先へ送信するメール送信処理と、
前記電子メールに基づき前記外部通知先から前記原稿転送を指示する転送指示処理と、
前記原稿の転送指示を受けたとき、記憶された前記原稿を読み出して前記外部通知先へ送信する原稿送信処理と、
を具備することを特徴とする受信原稿転送方法。
【請求項６】
前記通知条件に参照用パスワードが予め設定されており、前記原稿送信処理は前記参照用パスワードが付されて前記原稿の転送が指示されたとき当該原稿を送信する請求項５記載の受信原稿転送方法。
【請求項７】
前記原稿を印刷する印刷処理と、前記電子メールの送信停止が設定されたとき、当該時点までに記憶された前記原稿を前記印刷部に出力する印刷制御処理とを有する請求項５又は６記載の受信原稿転送方法。
【請求項８】
前記メール送信処理は、前記外部通知先が前記原稿毎に複数登録されているとき、これら複数の外部通知先に前記電子メールを送信処理する請求項５〜７いずれか１記載の受信原稿転送方法。
【発明の詳細な説明】
【技術分野】
【０００１】
本発明は通信装置および受信原稿転送方法に係り、例えばファクシミリ機や複合機（ＭＦＰ：Multi Function Peripheral）等に利用して好適な通信装置および受信原稿転送方法の改良に関する。
【背景技術】
【０００２】
近年、例えばファクシミリ機等では、これをネットワークに接続するとともに予め設定した回線番号のファクシミリ機等に対してファクシミリ受信原稿を自動転送可能に構成し、例えば通常使用するファクシミリ機に着信したファクシミリ受信原稿を外出先のファクシミリ機にて受領可能に構成したものが提供されている。
【０００３】
例えば特開２０００−１１５５０５号公報（特許文献１）はこの種のものである。
【０００４】
この特許文献１は、各送信元識別情報と転送先番号とを対応付けた転送情報登録テーブルを予め記憶しておき、データ受信時に送信元から通知された送信元識別情報が転送情報登録テーブルに登録されたものであるとき、受信したデータをメモリに蓄積して対応する転送先番号に発呼して送信するデータ伝送装置であり、予め登録された転送先未登録データ用転送先番号を記憶した転送先番号記憶手段と、転送先未登録データ転送機能を設定する転送機能設定手段と、相手先別メモリ転送機能が設定されている場合において転送先未登録データ転送機能が設定されているときにおけるデータ受信時に送信元装置から通知された送信元識別情報が転送情報登録テーブルに未登録のものであったときに、受信したデータをメモリに蓄積して転送先未登録データ用転送先番号に発呼して送信する転送先未登録データ転送手段とを備え、未登録の送信元からの受信データを適切に転送できるようにしたものである。
【特許文献１】特開２０００−１１５５０５号公報
【発明の開示】
【発明が解決しようとする課題】
【０００５】
しかしながら、上述した特許文献１を含む従来技術では、ファクシミリ受信原稿を自動的に転送させるから、転送先で原稿が印刷排紙されてしまい、転送された受信原稿が第三者の目にとまり易く、情報漏洩が発生する可能性がある。
【０００６】
さらに、転送元と転送先のファクシミリ機が互いに距離が離れている場合、ユーザが転送先を出発して転送元に戻るまでの間に転送元で受信した原稿も転送先に送られてしまう危険があり、転送先に送られてしまったファクシミリ受信原稿を後で回収する必要が生じると、回収作業が面倒である。
【０００７】
本発明はそのような課題を解決するためになされたもので、受信した原稿を外部から容易に確認可能で、セキュリティの確保も可能な通信装置および受信原稿転送方法の提供を目的とする。
【課題を解決するための手段】
【０００８】
そのような課題を解決するために本発明に係る通信装置は、ネットワークを介して原稿その他を送受信する通信部と、この通信部で受信した原稿を記憶する記憶部と、その通信部で受信する原稿に付加される相手先識別情報のうち、その原稿の受信を外部に通知する相手先識別情報と当該通知する外部通知先とを関連付けた通知条件が予め登録された登録部と、受信原稿がその通知条件に該当するとき、その原稿の受信を伝える電子メールに相手先識別情報を付して外部通知先に送信制御するとともに、その外部通知先からその原稿転送が指示されたとき、当該原稿を記憶部から読み出して外部通知先に送信制御する主制御部とを具備している。
【０００９】
本発明の通信装置では、上記通知条件に参照用パスワードが設定されており、当該参照用パスワードが付されてその原稿転送が指示されたとき、上記主制御部が当該原稿を送信制御する構成も可能である。
【００１０】
本発明の通信装置では、その原稿を印刷する印刷部を有し、上記電子メールの送信停止が設定されたとき、上記主制御部が当該時点までにその記憶部に記憶された原稿をその印刷部に出力して印刷制御する構成も可能である。
【００１１】
本発明の通信装置では、上記外部通知先がその原稿毎に複数登録されるとともに、上記主制御部がこれら複数の外部通知先にその電子メールを送信制御する構成も可能である。
【００１２】
本発明に係る受信原稿転送方法は、ネットワークを介して原稿を受信する受信処理と、この受信原稿を記憶する記憶処理と、その受信原稿に付加される相手先識別情報のうち、その原稿の受信を外部に通知する相手先識別情報と当該通知する外部通知先とを関連付けて予め登録された通知条件にその受信原稿が該当するとき、その原稿の受信を伝える電子メールに相手先識別情報を付して外部通知先へ送信するメール送信処理と、その電子メールに基づき外部通知先から原稿転送を指示する転送指示処理と、その原稿の転送指示を受けたとき、記憶された当該原稿を読み出してその外部通知先へ送信する原稿送信処理とを具備している。
【００１３】
本発明の受信原稿転送方法では、上記通知条件に参照用パスワードが設定されているとき、その参照用パスワードが付されて原稿転送が指示されたとき、上記原稿送信処理が当該原稿を送信する構成も可能である。
【００１４】
本発明の受信原稿転送方法では、その原稿を印刷する印刷処理と、上記電子メールの送信停止が設定されたとき、上記主制御部が当該時点までに記憶された原稿をその印刷部に出力する印刷制御処理とを有する構成も可能である。
【００１５】
本発明の受信原稿転送方法では、その外部通知先が原稿毎に複数登録されているとき、上記メール送信処理がそれら複数の外部通知先にその電子メールを送信処理する構成も可能である。
【発明の効果】
【００１６】
このような本発明に係る通信装置および受信原稿転送方法では、ネットワークを介して原稿を受信し、この受信原稿を記憶し、その受信原稿に対してこれが付加される相手先識別情報が通知条件に該当するとき、当該原稿の受信を伝える電子メールにその相手先識別情報を付して外部通知先へメール送信し、その電子メールに基づき外部通知先から原稿転送の転送指示を受け、記憶された当該原稿を読み出して外部通知先へ原稿送信するから、受信した原稿を外部から容易に確認可能で、受信原稿を自動的に転送しないからセキュリティの確保も可能となる。
【００１７】
本発明において、上記通知条件に参照用パスワードが設定され、当該参照用パスワードが付されて原稿指定がなされたとき当該原稿を転送する構成では、セキュリティを確保した状態で原稿の転送が可能となる。
【００１８】
本発明において、その原稿を印刷する印刷処理機能を有し、上記電子メールの送信停止が設定されたとき、当該時点までに記憶された原稿を印刷処理する構成では、転送設定を中止したとき、受信原稿を印刷して確認可能となる。
【００１９】
本発明において、上記外部通知先が原稿毎に複数登録され、これら複数の外部通知先にその電子メールを送信制御する構成では、複数箇所に対して原稿の受信有無の連絡や原稿転送が可能となる。
【発明を実施するための最良の形態】
【００２０】
以下、本発明の実施の形態を図面を参照して説明する。なお、本発明に係る受信原稿転送方法は本発明の通信装置を説明する過程で説明する。
【００２１】
図１は本発明に係る通信装置の実施の形態を示す概略ブロック図である。
【００２２】
図１において、本発明に係る通信装置は、主制御部１を中心にしてファクシミリ送受信部（図ではＦＡＸ送受信部と略す。）３、記憶部５、登録部７、操作パネル部９、印刷部１１、画像読取部１３および通信部１５を有して構成され、例えば複合機Ａの一部を構成している。主制御部１は、ファクシミリ送受信部３、記憶部５、登録部７、操作パネル部９、印刷部１１、画像読取部１３および通信部１５を制御するものであるが、詳細は後述する。
【００２３】
ファクシミリ送受信部３は、主制御部１の制御の下、所定のプロトコルに従い、例えば公衆回線や社内ＬＡＮ等を介して別のファクシミリ機１７からのファクシミリ原稿を受信、復号化して記憶部５に出力するとともに、送信する原稿データを圧縮、符号化してファクシミリ機１７に送信する公知の通信部としての機能を有している。
【００２４】
記憶部５は、主制御部１の制御の下、ファクシミリ送受信部３で受信復号化された原稿データ、画像読取部１３で読み取られた原稿データ、更に、ファクシミリ送信する相手先を指定する相手先回線番号を記憶する他、主制御部１の動作プログラムを格納する例えばハードディスク（ＨＤＤ）等である。
【００２５】
登録部７は、主制御部１の制御の下、ファクシミリ送受信部３で受信する原稿に付加されてくる相手先識別情報のうち、原稿を受信した旨を外部に通知する必要のある相手先識別情報と、当該通知する外部の通知先を特定する外部通知先（外部通知先情報）等とを関連付けた通知条件を予め登録するメモリである。登録部７は記憶部５の一部を流用することも可能である。
【００２６】
通知条件は、例えば図２に示すように、相手先識別情報としての例えば相手先回線番号に対して、外部からこれを参照するための参照アカウント（通知元である複合機ＡのＩＰアドレス）、後述する電子メールの通知先である外部通知先としての通知先アカウント（通知先である複合機Ｂのメールアドレス）および参照パスワード等を条件テーブル状にしたものであり、条件テーブル全体として留守番モードのオン（ＯＮ）設定およびオフ（ＯＦＦ）設定の選択フラグ設定が可能になっており、操作パネル部９から入力設定される。
【００２７】
その留守番モードは、ファクシミリ送受信部３でファクシミリ原稿の受信があったとき、原稿自体は自動転送せずに、その受信に関する情報を後述する電子メールにして通知先に自動連絡するモードである。
【００２８】
操作パネル部９は、図示しない装置本体ケースの上部に配置された例えばタッチスイッチ操作部であり、種々の設定値の入力を受付けるとともに、上述した通知条件の入力設定を受付ける機能、留守番モードのオン（ＯＮ）設定およびオフ（ＯＦＦ）設定を選択設定する機能を有する他、例えば液晶タイプの表示パネル等も兼ねている。
【００２９】
そのため、操作パネル部９は、それらの入力指示を受付ける操作部として機能し、入力指示された情報を主制御部１に出力し、入力指示された情報が表示パネルに反映されて表示する表示部として機能している。
【００３０】
印刷部１１は、主制御部１の制御の下、記憶部５に記憶された受信原稿その他を印刷用紙に印刷して排紙する白黒又はカラー印刷エンジンであるが、公知のものであるから詳細な説明および図示は省略する。
【００３１】
画像読取部１３は、主制御部１の制御の下、例えば印刷された複数頁の原稿から画像を光学的に読み込み、フィルタ処理、変倍処理および階調処理等をして電子的原稿データを印刷ジョブとして生成する公知のスキャナ等であり、生成した原稿データが原稿の頁毎に記憶部５に順次記憶されるようになっている。
【００３２】
通信部１５は、例えばインターネットや社内ＬＡＮ等の公知のネットワーク１９を介してメールサーバ２１に対し、電子メールを送信する機能を有するとともに、外部の複合機Ｂから原稿転送指示を受信して主制御部１に出力する機能を有するインターフェース部である。
【００３３】
主制御部１は、ＣＰＵ、このＣＰＵの動作プログラムを格納したメモリ部、入出力インターフェース（いずれも図示せず。）を有し、ファクシミリ送受信部３、記憶部５、登録部７、操作パネル部９、印刷部１１、画像読取部１３および通信部１５を制御し、それらの機能の一部を担う他、以下の機能を有している。
【００３４】
主制御部１は、上述したように、ファクシミリ送受信部３で受信したファクシミリ原稿を通知条件の参照アカウント（通知元ＩＰアドレス）に対応付けて記憶部５に記憶登録する例えばＰＯＰ３（post office protocol version3）サーバ機能を有している。
【００３５】
主制御部１は、ファクシミリ送受信部３で受信した原稿の相手先識別情報が登録部７の通知条件に該当するとき、すなわち、相手先識別情報が通知条件における留守番モードのオン（ＯＮ）設定された相手先識別情報に該当するとき、原稿の受信を伝える電子メールを作成し、この電子メールを外部通知先に通信部１５からメールサーバ２１に例えばＳＭＴＰ（simple mail transfer protocol）プロトコルによって送信制御するＳＭＴＰクライアント機能、すなわちメールの送信制御部２３としての機能を有している。
【００３６】
電子メールは、この本文に上述した相手先識別情報および参照アカウント（通知元ＩＰアドレス）その他を表示した特定フォームを有し、通知先アカウント（通知先メールアドレス）に向けて送信される。
【００３７】
主制御部１は、参照先アカウントに基づき外部通知先から通信部１５を介して原稿の転送指示を受けたとき、当該原稿を記憶部５から読み出して外部通知先に対し、ＰＯＰ３プロトコルによって通信部１５から送信制御する原稿の送信制御部２３としての機能を有している。
【００３８】
主制御部１は、外部通知先から原稿転送の指示を受けたとき、参照パスワードに一致するパスワードを伴うときのみ、当該原稿を記憶部５から読み出して送信制御するよう形成されている。
【００３９】
ネットワーク１９に接続されたメールサーバ２１は、複合機Ａからの電子メールを格納保持する一方、例えば複合機Ｂからの電子メール問い合わせに対して複合機Ｂに配信する機能を有しているが、従来公知の構成であるから、詳細な説明は省略する。
【００４０】
ネットワーク１９に接続された複合機Ｂは、制御部２５に内部バス２７を介して接続された通信部２９、記憶部３１、表示部３３、操作部３５および印刷部３７の他、複合機としての構成を有し、通知アカウントとしてのメールアドレスが設定されている。
【００４１】
複合機Ｂの通信部２９は、ネットワーク１９を介してメールサーバ２１にアクセスして電子メールを取り込む一方、複合機Ａに対して原稿の転送要求を指示するとともに、原稿を受信するインターフェースである。
【００４２】
記憶部３１は、制御部２５に制御の下、通信部２９で受信された複合機Ａからの転送原稿を記憶する機能を有している。
【００４３】
表示部３３は、制御部２５に制御の下、通信部２９で受信した電子メールの一覧を表示する機能を有する他、取得した原稿の表示も可能になっている。この表示部３３の表示内容から、複合機Ａで受信したファクシミリ原稿が自己宛のものか確認可能となる。
【００４４】
操作部３５は、受信した電子メールが表示部３３に表示されたとき、表示内容を選択するとともに参照パスワードを入力する等して、原稿転送（取得）の指示入力を受ける機能を有している。
【００４５】
印刷部３５は、受信した電子メールの他、取得した原稿の印刷が可能なモノクロ又はカラー印刷エンジンである。
【００４６】
制御部２５は、ＣＰＵ、このＣＰＵの動作プログラムを格納したメモリ部、入出力インターフェース（いずれも図示せず。）を有し、通信部２９、記憶部３１、表示部３３、操作部３５および印刷部３５を制御する他、以下の機能を有している。
【００４７】
すなわち、制御部２５は、予め設定されたアドレスのメールサーバ２１に対して電子メールの問わせを制御し、受信した電子メールを表示部３３に表示制御し、操作部から指定された参照先アカウントに対して原稿の転送要求を出力制御し、取得した原稿を記憶部３１に記憶制御するとともに、表示部３３に表示制御したり、印刷部３７の印刷制御をする等の機能を有している。
【００４８】
次に、このような本発明の通信装置の動作を図３および図４のフローチャートを参照して簡単に説明する。
【００４９】
なお、受信したファクシミリ原稿の留守番モードのオン（ＯＮ）設定およびオフ（ＯＦＦ）設定は、図３および図４のフローチャートの外でなされ、予めオン設定されたものとして説明する。
【００５０】
図３においてプログラムがスタートすると、ステップＳ１にてファクシミリ原稿の着信があれば受信して参照アカウントに関連付けて記憶部５に記憶登録し、当該受信原稿についてステップＳ２にて受信原稿を外部通知先へ通知が必要であるか否か判別される。
【００５１】
通知条件に合致せずにステップＳ２がＮＯであれば、ステップＳ３に移って通常の印刷処理がなされてステップＳ１に移り、以降、ステップＳ１〜Ｓ３を繰返す。
【００５２】
通知条件に合致してステップＳ２がＹＥＳであれば、ステップＳ４に移って電子メールを作成してメールサーバ２１へメール送信処理し、ステップＳ５に移って留守番モードの設定がオフ（ＯＦＦ）か否か判別される。
【００５３】
留守番モードの設定がオン（ＯＮ）のままでステップＳ５がＮＯであれば、ステップＳ１に戻り、以降、ステップＳ１〜Ｓ５を繰返す。ここまでの動作は、ユーザが外出中の動作である。
【００５４】
別途、留守番モードの設定がオフ（ＯＦＦ）に変ってステップＳ５がＹＥＳとなれば、ステップＳ６に移って記憶された原稿を表示し、続くステップＳ７にて表示原稿の印刷要否が判別される。これ以降は、ユーザが外出から戻って複合機Ａを操作する動作である。
【００５５】
表示原稿中で印刷指示がなされてステップＳ７がＹＥＳであれば、ステップＳ８にて印刷処理され、印刷指示がなされずにステップＳ７がＮＯであれば、そのまま終了する。
【００５６】
図４は、外部連絡先からの原稿転送指示に対する応答処理を説明するものである。
【００５７】
図４において、プログラムがスタートすると、ステップＳ１０で転送指示が受信されると、ステップＳ１１において該当する原稿の有無が判別される。
【００５８】
該当する原稿がなくてステップＳ１１がＮＯであれば終了し、原稿が存在してステップＳ１１がＹＥＳであればステップＳ１２に移り、転送指示とともに受信された参照パスワードが一致するか否か判別される。
【００５９】
参照パスワードが一致せずにステップＳ１２がＮＯであれば終了し、参照パスワードが一致してステップＳ１２がＹＥＳであればステップＳ１３に移って該当する原稿を記憶部５から読出して原稿送信処理して終了する。
【００６０】
これらの処理手順が本発明に係る受信原稿転送方法である。
【００６１】
このように、本発明に係る通信装置は、ネットワーク１９を介して原稿その他を送受信するファクシミリ送受信部（通信部）３と、このファクシミリ送受信部（通信部）３で受信した原稿を記憶する記憶部５と、そのファクシミリ送受信部（通信部）３で受信する原稿に付加される相手先識別情報のうち、その原稿の受信を外部に通知する相手先識別情報と当該通知する外部通知先とを関連付け、かつ参照用パスワードが設定された通知条件が予め登録された登録部７と、受信原稿がその通知条件に該当するとき、その原稿の受信を伝える電子メールに相手先識別情報を付して外部通知先に送信制御するとともに、その外部通知先から参照用パスワードが付されてその原稿が指定されたとき、当該原稿を記憶部５から読み出して外部通知先に送信制御する主制御部１とを具備している。
【００６２】
そのため、受信した原稿を外部から容易に確認可能で、セキュリティの確保も可能であるうえ、外出先の複合機Ｂでは参照パスワードを入力しない限り、複合機Ａから受信原稿が転送されずに見られないし、受信原稿自体も受信した複合機Ａの内部に保存されているため、受信原稿が外部に漏洩し難い。
【００６３】
また、一度参照条件の設定を登録してしまえば、留守番モードのオン、オフ（ＯＮ／ＯＦＦ）を変更するだけで、受信原稿の転送切換えが可能であり、ユーザの操作も簡単である。
【００６４】
しかも、ユーザが外出先（複合機Ｂの設置場所）を出発してから複合機Ａの場所に戻って留守番モード設定をオフ（ＯＦＦ）するまでの間に受信した原稿も、外出先には送られずに複合機Ａに蓄積されたまま残るし、上記電子メールの送信停止が設定されたとき、送信制御部２３が当該時点までにその記憶部５に記憶された原稿をその印刷部１１に出力して印刷制御するから、留守番モードを解除することで自機出力され、受信原稿の情報漏洩の危険が少ない。
【００６５】
そして、本発明の通信装置においては、外部通知先が１個に限定されず、その原稿毎に複数登録することが可能であり、送信制御部２３がこれら複数の外部通知先にその電子メールを送信制御する構成も可能であり、ユーザ１人に限らず、例えばユーザの所属するグループの構成員に同時にメール送信することも可能である。
【００６６】
本発明においては、上述したように通常のファクシミリ原稿以外の原稿、例えば、Ｔ．３７準拠のＩｎｔｅｒｎｅｔ ＦＡＸ機能での原稿受信や、ダイレクトＳＭＴＰでの原稿受信も対象とすることも可能であり、それに合わせてファクシミリ送受信部３を変更したり通信部１５を用いることで対応可能である。
【００６７】
Ｔ．３７準拠のＩｎｔｅｒｎｅｔ ＦＡＸ機能での原稿受信においては、送信元識別情報としては受信したメールのｆｒｏｍアドレスを使用することになる。
【００６８】
ところで、本発明に係る受信原稿転送方法においても、上述した通信装置（複合機Ａ）と同様な効果を得ることが可能である。
【００６９】
さらに、上述した複合機Ａと複合機Ｂを組合わせた受信原稿転送システムを構成しても、同様な効果を得ることが可能である。
【図面の簡単な説明】
【００７０】
【図１】本発明に係る通信装置の実施の形態を示す概略ブロック図である。
【図２】本発明の通信装置における通知条件を説明する図である。
【図３】本発明の通信装置の動作を説明するフローチャートである。
【図４】本発明の通信装置の動作を説明するフローチャートである。
【符号の説明】
【００７１】
１  主制御部
３  ファクシミリ送受信部（通信部）
５、３１  記憶部
７  登録部
９  操作パネル部
１１、３７  印刷部
１３  画像読取部
１５、２９  通信部
１７  ファクシミリ機
１９  ネットワーク
２１  メールサーバ
２３  送信制御部
２５  制御部
２７  内部バス
３３  表示部
３５  操作部
Ａ、Ｂ  複合機（通信装置）
【図１】
2008283427.tif 000003
【図２】
2008283427.tif 000004
【図３】
2008283427.tif 000005
【図４】
2008283427.tif 000006